(57)【特許請求の範囲】
【請求項１】
後側の壁パネル（３Ｂ）と、壁パネル（３Ｂ）の左側に位置する壁パネル（３Ｌ）と、壁パネル（３Ｂ）の右側に位置する壁パネル（３Ｒ）とを備え、後側の壁パネル（３Ｂ）に沿って、洗い場（１）と浴槽（２）とが左右方向に隣接配置されている浴室に設置される浴室カウンターであって、
後側の壁パネル（３Ｂ）の左右寸法の全長と同寸法の左右寸法を有し、壁パネル（３Ｂ）の前方に所定の間隔を空けて、後側の壁パネル（３Ｂ）に沿って設置される左右横長の帯板状のフロントパネル（９）と、
フロントパネル（９）の左右寸法よりも小さく設定されて、壁パネル（３Ｂ）とフロントパネル（９）の間に収容される配水管ユニット（１０）と、
左右の壁パネル（３Ｌ・３Ｒ）に固定され、フロントパネル（９）の左右端を支持する端部ブラケット（６３・６３）と、
後側の壁パネル（３Ｂ）に固定され、配水管ユニット（１０）の左右端を支持するとともに、フロントパネル（９）の左右方向の中途部を支持する左右一対のブラケット（５１・５１）と、
後側の壁パネル（３Ｂ）とフロントパネル（９）の間における配水管ユニット（１０）の左右両側に形成された上下面に開口を有する中空状の収納部（１２・１３）と、
収納部（１２・１３）内に着脱自在に装着される、浴室用品を収容するホルダー（７７・８３）と、
収納部（１２・１３）の上面に着脱自在に装着されて、装着状態において収納部（１２・１３）の上面開口を塞ぐ上蓋（８５Ｌ・８５Ｒ）と、
配水管ユニット（１０）の上面に着脱自在に装着されて、装着状態において配水管ユニット（１０）の上面開口を塞ぐ中蓋（５８）と、
後側の壁パネル（３Ｂ）の左右方向の全長にわたって設けられた突条（７４）と、
を備え、
中蓋（５８）は、底壁と、底壁の後端から立ち上がる後壁とを備えるトレー状に形成され、装着状態において、底壁の左右端部がブラケット（５１）の蓋支持壁（５４）でそれぞれ支持されるとともに、後壁の上端から後ろ向きに形成された係止片（７３）が突条（７４）で支持されるようになっており、
ホルダー（７７・８３）は、底壁と、底壁の後端から立ち上がる後壁とを備えるトレー状に形成されており、装着状態において、後壁の上端から後ろ向きに形成された掛止片（８０）が突条（７４）で支持されるとともに、底壁の前端に形成された掛止片（７９）がフロントパネル（９）の後面の下部に設けられた受座（８１）で支持されるようになっていることを特徴とする浴室カウンター。
【請求項２】
配水管ユニット（１０）の側面に臨むブラケット（５１）の側壁（５２）が、収納部（１２・１３）の側面を区画しており、
後側の壁パネル（３Ｂ）から突出する給水管（２１・２２）に、止水栓（２５・２６）がブラケット（５１）の側壁（５２）と隣接する状態で連結されており、
止水栓（２５・２６）の操作部（２５ｂ・２６ｂ）に臨む点検口（５９）が側壁（５２）に形成されており、
配水管ユニット（１０）に隣接配置されるホルダー（７７・８３）に、ブラケット（５１）の点検口（５９）を塞ぐ閉塞壁（８２）が形成されている請求項１記載の浴室カウンター。
【請求項３】
配水管ユニット（１０）は、フロントパネル（９）の左右中央よりも洗い場（１）側に寄せて配置されており、
配水管ユニット（１０）の浴槽（２）側に位置する収容部（１３）内には、該配水管ユニット（１０）に隣接するようにホルダー（８３）が装着されており、
浴槽（２）側に位置する左右いずれか一方の壁パネル（３Ｌ・３Ｒ）と、該壁パネル（３Ｌ・３Ｒ）に対向するホルダー（８３）の側壁との対向間隔距離で規定される収納部（１３）のホルダー（８３）の無い中空部分の左右寸法が、浴槽（２）を閉じる風呂蓋の左右寸法よりも大きく設定されており、当該一方の収納部（１３）のホルダー（８３）の無い中空部分に上方から風呂蓋を挿入することで、収納部（１３）に風呂蓋を立て掛けることができるように構成されている請求項１又は２記載の浴室カウンター。
【発明の詳細な説明】
【技術分野】
【０００１】
本発明は、配水管ユニットが内部に収容された浴室カウンターに関する。配水管ユニットは複数の配水管などで構成されて、壁パネルから突出する給水管と、ハンドシャワーなどの吐水装置とを接続する。
【背景技術】
【０００２】
この種の浴室カウンターは、例えば特許文献１に公知である。そこでは、角筒状の水栓ボックスに水栓本体や複数の配水管などを一体的に組み込んでなる水栓ボックスユニットと、同ユニットの左右それぞれに配置されるエプロンと、これらの上面を覆う天板と、エプロンおよび天板が固定される複数個の四角枠状の固定部材などで浴室カウンターを構成している。片方のエプロンの前面には、石鹸などを収納する収納部が凹み形成されている。この浴室カウンターを壁面に取り付けるには、まずレール状の取付下地材を壁面に水平に固定し、同下地材の溝部に水栓ボックスユニットと各固定部材を引っ掛けた状態で、これらを壁面にねじで固定する。その後、水栓ボックスユニットの各配水管を、壁面から突出する止水栓などに連結する。次いで天板を、水栓ボックスユニットおよび各固定部材の上壁にボルトで固定し、さらに左右一対のエプロンを、各固定部材の底壁にボルトで固定する。
【先行技術文献】
【特許文献】
【０００３】
【特許文献１】特開２００４−１１３５１３号公報（段落番号００３６〜００３８、００４０〜００４１、図２、図３）
【発明の概要】
【発明が解決しようとする課題】
【０００４】
特許文献１の浴室カウンターでは、予め組み立てられた水栓ボックスユニットを壁面に固定するので、施工現場における取付作業を簡略化できる。しかし、水栓ボックスユニットの他に、左右一対のエプロンや天板、さらに複数個の固定部材など、多くの構成部品で浴室カウンターを構成するため、その取付作業に手間が掛かる。また、エプロンの前面に凹み形成された収納部には、石鹸など比較的小型の浴室用品は収納することができるが、シャンプーボトルなど比較的大型の浴室用品は収納することが難しい。シャンプーボトルなどは天板上に置くことができるが、この場合は誤って接触した場合に転落しやすく、しかも、多くの浴室用品を天板上に置くと雑然として見栄えが悪い。
【０００５】
本発明の目的は、浴室カウンターの部品点数を減らして、その取付作業の手間を削減することにある。また本発明の目的は、比較的大型の浴室用品であっても、転落することのない状態で収納できる浴室カウンターを提供することにある。さらに本発明の目的は、より多くの浴室用品を収納できる浴室カウンターを提供することにある。
【課題を解決するための手段】
【０００６】
本発明は、後側の壁パネル３Ｂと、壁パネル３Ｂの左側に位置する壁パネル３Ｌと、壁パネル３Ｂの右側に位置する壁パネル３Ｒとを備え、後側の壁パネル３Ｂに沿って、洗い場１と浴槽２とが左右方向に隣接配置されている浴室に設置される浴室カウンターを対象とする。この浴室カウンターは、後側の壁パネル３Ｂの左右寸法の全長と同寸法の左右寸法を有し、壁パネル３Ｂの前方に所定の間隔を空けて、後側の壁パネル３Ｂに沿って設置される左右横長の帯板状のフロントパネル９と、フロントパネル９の左右寸法よりも小さく設定されて、壁パネル３Ｂとフロントパネル９の間に収容される配水管ユニット１０と、左右の壁パネル３Ｌ・３Ｒに固定され、フロントパネル９の左右端を支持する端部ブラケット６３・６３と、後側の壁パネル３Ｂに固定され、配水管ユニット１０の左右端を支持するとともに、フロントパネル９の左右方向の中途部を支持する左右一対のブラケット５１・５１と、後側の壁パネル３Ｂとフロントパネル９の間における配水管ユニット１０の左右両側に形成された上下面に開口を有する中空状の収納部１２・１３と、収納部１２・１３内に着脱自在に装着される、浴室用品を収容するホルダー７７・８３と、収納部１２・１３の上面に着脱自在に装着されて、装着状態において収納部１２・１３の上面開口を塞ぐ上蓋８５Ｌ・８５Ｒと、配水管ユニット１０の上面に着脱自在に装着されて、装着状態において配水管ユニット１０の上面開口を塞ぐ中蓋５８と、後側の壁パネル３の左右方向の全長にわたって設けられた突条７４と、を備える。中蓋５８は、底壁と、底壁の後端から立ち上がる後壁とを備えるトレー状に形成され、装着状態において、底壁の左右端部がブラケット５１の蓋支持壁５４でそれぞれ支持されるとともに、後壁の上端から後ろ向きに形成された係止片７３が突条７４で支持されるようになっている。ホルダー７７・８３は、底壁と、底壁の後端から立ち上がる後壁とを備えるトレー状に形成されており、装着状態において、後壁の上端から後ろ向きに形成された掛止片８０が突条７４で支持されるとともに、底壁の前端に形成された掛止片７９がフロントパネル９の後面の下部に設けられた受座８１で支持されるようになっている。
【０００７】
配水管ユニット１０の側面に臨むブラケット５１の側壁５２が、収納部１２・１３の側面を区画しており、後側の壁パネル３Ｂから突出する給水管２１・２２に、止水栓２５・２６がブラケット５１の側壁５２と隣接する状態で連結されており、止水栓２５・２６の操作部２５ｂ・２６ｂに臨む点検口５９が側壁５２に形成されており、配水管ユニット１０に隣接配置されるホルダー７７・８３に、ブラケット５１の点検口５９を塞ぐ閉塞壁８２が形成されている。
【０００８】
配水管ユニット１０は、フロントパネル９の左右中央よりも洗い場１側に寄せて配置されており、配水管ユニット１０の浴槽２側に位置する収容部１３内には、該配水管ユニット１０に隣接するようにホルダー８３が装着されており、浴槽２側に位置する左右いずれか一方の壁パネル３Ｌ・３Ｒと、該壁パネル３Ｌ・３Ｒに対向するホルダー８３の側壁との対向間隔距離で規定される収納部１３のホルダー８３の無い中空部分の左右寸法が、浴槽２を閉じる風呂蓋の左右寸法よりも大きく設定されており、当該一方の収納部１３のホルダー８３の無い中空部分に上方から風呂蓋を挿入することで、収納部１３に風呂蓋を立て掛けることができるように構成されている。
【発明の効果】
【００１７】
本発明に係る浴室カウンターでは、浴室の壁パネル３Ｂとフロントパネル９の間に配水管ユニット１０を収容し、フロントパネル９を配水管ユニット１０よりも左右方向に長く形成し、両パネル３Ｂ・９の間における配水管ユニット１０の少なくとも一側方に収納部１２・１３を形成した。つまり、１枚のフロントパネル９が、配水管ユニット１０の収容部の前面の区画壁と、浴室用品等の収納部１２・１３の前面の区画壁とを兼ねるものとした。従って、これら区画壁をそれぞれ別の部材で構成する場合に比べて、浴室カウンターの部品点数を減らして、その取付作業の手間を削減することができる。また、浴室カウンターの前面を１枚のフロントパネル９で構成すると、ユーザーに対してすっきりとした印象を与えることができる。
【００１８】
上面が開口する収納部１２・１３によれば、収納部１２・１３の上下寸法の範囲内に収まる比較的小型の浴室用品を収納できるのはもちろん、収納部１２・１３の上下寸法を超える比較的大型の浴室用品であっても、収納部１２・１３から上方へ突出する状態で収納することができる。しかも、収納部１２・１３に収納した浴室用品の転落をフロントパネル９で規制することができる。さらに、浴室用品を前後に並べて収納した場合に、前側の浴室用品が邪魔にならずに後側の浴室用品を取り出すことができる。
【００１９】
配水管ユニット１０の上面を覆う中蓋５８を蓋支持壁５４で着脱自在に支持すると、入浴時に配水管ユニット１０が過剰に湯水に晒されるのを中蓋５８で防止することができ、また中蓋５８を取り外せば、配水管ユニット１０のメンテナンスを上方から行うことができる。加えて、中蓋５８の上面側に小収納部１１を形成すると、中蓋５８の上方空間を無駄なく利用することができ、しかも、配水管ユニット１０の側方の収納部１２・１３を合わせた浴室カウンターの総収納量を大きくして、より多くの浴室用品を収納することができる。なお小収納部１１は、配水管ユニット１０の上下寸法の分だけ、側方の収納部１２・１３に比べて上下寸法が小さいことから、石鹸など比較的小型の浴室用品の収納に適する。
【００２０】
壁パネル３Ｂに固定された左右一対のブラケット５１のユニット支持壁５５に、配水管ユニット１０を橋絡状に載置すると、配水管ユニット１０をブラケット５１で支持した状態で、配水管３１〜３７を止水栓２５・２６などに連結する作業を行うことができる。つまり連結作業の際に、作業者が自ら配水管ユニット１０を支持する必要が無いので、連結作業を簡便に行うことができる。
【００２１】
フロントパネル９の左右端部を端部ブラケット６３に固定し、さらにフロントパネル９の左右中途部をブラケット５１に固定すると、左右に長いフロントパネル９を強固に固定支持して、その構造強度を向上することができる。また、配水管ユニット１０を支持するブラケット５１にフロントパネル９を固定すると、フロントパネル９を支持する専用の部材を減らして、その分だけ取付作業の手間やコストを削減できる。
【００２２】
中蓋５８を支持する蓋支持壁５４をブラケット５１に設けると、ブラケット５１が配水管ユニット１０と中蓋５８の支持部材を兼ねるようにして、浴室カウンターの部品点数を減らして、その分だけ取付作業の手間やコストを削減できる。
【００２３】
ブラケット５１の側壁５２で収納部１２・１３の側面を区画し、止水栓２５・２６の操作部２５ｂ・２６ｂに臨む点検口５９を側壁５２に形成すると、止水栓２５・２６に対して容易にアクセスして、これを操作することができる。具体的には、収納部１２・１３に収納されている浴室用品を取り除いて手を挿入し、点検口５９を介して止水栓２５・２６を操作することができる。
【００２４】
収納部１２・１３に対してホルダー７７・８３が着脱自在であると、ユーザーの好みに合わせてホルダー７７・８３を選択あるいは交換することができる。収納部１２・１３からホルダー７７・８３を取り外せば、それぞれの清掃を容易に行うことができる。またホルダー７７・８３に、ブラケット５１の点検口５９を塞ぐ閉塞壁８２を形成すると、入浴時には閉塞壁８２で点検口５９を塞いで、止水栓２５・２６や配水管ユニット１０が過剰に湯水に晒されるのを防止することができる。止水栓２５・２６を操作する際は、ホルダー７７・８３をそれに収納された浴室用品と共に収納部１２・１３から取り除いて、点検口５９を開放することができる。
【００２５】
配水管３１〜３７を支持する支持枠３８の下壁４４に、止水栓２５の操作部２５ａに臨む点検口４５を形成すると、止水栓２５に対し点検口４５を介して容易にアクセスして、これを操作することができる。また、点検口４５を通水口ないし通気口として機能させて、支持枠３８の内側に水滴や湿気が滞留するのを防止することができる。
【００２６】
収納部１２・１３の上面開口を塞ぐ上蓋８５Ｌ・８５Ｒを着脱自在に装着すると、収納部１２・１３に収納された浴室用品が、入浴時に過剰に湯水に晒されるのを防止することができ、同時に、浴室カウンターの外観上の印象をすっきりとしたものにすることができる。また、上蓋８５Ｌ・８５Ｒの上面を、入浴時における浴室用品の載置台として使用することができる。
【００２７】
１つの収納部１３の左右寸法を風呂蓋の左右寸法よりも大きく設定すると、浴槽２に入る際に上蓋８５Ｒを取り外し、風呂蓋を収納部１３に上方から挿入することにより、風呂蓋を立て掛けておくことができる。また上蓋８５Ｒが、浴槽２を跨ぐ左右寸法を有していると、取り外した上蓋８５Ｒを浴槽２の浴槽フランジ５で支持して、浴槽２の中で使用する浴室用品の載置台として上蓋８５Ｒを使用することができる。
【図面の簡単な説明】
【００２８】
【図１】本発明の実施例に係る浴室カウンターの分解斜視図である。
【図２】実施例に係る浴室カウンターが設置された浴室の全体図である。
【図３】実施例に係る浴室カウンターの平面図である。
【図４】配水管ユニットの横断平面図である。
【図５】配水管ユニットの縦断正面図である。
【図６】配水管ユニットの取付過程を示す平面図である。
【図７】ブラケットの斜視図である。
【図８】端部ブラケットの斜視図である。
【図９】図３におけるＡ−Ａ線断面図である。
【図１０】図３におけるＢ−Ｂ線断面図である。
【図１１】図３におけるＣ−Ｃ線断面図である。
【図１２】ボトルホルダーの斜視図である。
【図１３】チューブホルダーの斜視図である。
【図１４】フロントパネルと配水管ユニットの一体化の過程を示す斜視図である。
【図１５】ブラケット等の取付過程を示す斜視図である。
【図１６】浴室カウンターの取付過程を示す斜視図である。
【図１７】本発明の参考例に係る浴室カウンターの斜視図である。
【図１８】参考例に係る浴室カウンターの使用形態を示す縦断側面図である。
【発明を実施するための形態】
【００２９】
（実施例）  図１ないし図１６は、本発明に係る浴室カウンターの実施例を示す。本実施例における前後、左右、上下とは、図２および図３に示す交差矢印と、各矢印の近傍に表記した前後、左右、上下の表示に従う。図２において浴室には、洗い場１と浴槽２が左右に隣接するように配置されている。浴室の後側と左側（洗い場１側）の壁パネル３Ｂ・３Ｌで挟まれるコーナー部には、洗面器などを載置可能な置台４が設けられており、浴槽２の上縁には浴槽フランジ５が周回状に設けられている。置台４と浴槽フランジ５の上面は面一状に形成されている。
【００３０】
置台４および浴槽フランジ５の後端部の上方に、後側の壁パネル３Ｂの左右方向の全長にわたる浴室カウンター８が設けられている。浴室カウンター８は、壁パネル３Ｂの前方に所定の間隔を空けて設けられる左右横長のフロントパネル９と、両パネル３Ｂ・９の間に収容される配水管ユニット１０とを備える。フロントパネル９は、アルミニウムなどの金属を素材として帯板状に形成されて、壁パネル３Ｂと平行に固定されている。
【００３１】
配水管ユニット１０は、フロントパネル９の左右中央よりも左側すなわち洗い場１側に寄せて配置されており、配水管ユニット１０の上方、左方および右方のそれぞれに、浴室用品を収納可能な収納部１１〜１３が形成されている。左右の収納部１２・１３がフロントパネル９の上下方向の全長にわたるのに対し、上方の小収納部１１は配水管ユニット１０の分だけ上下寸法が小さくなっている。小収納部１１には、比較的小型の固形石鹸や歯ブラシなどの浴室用品を収納することができ、左右の収納部１２・１３には、比較的小型の浴室用品だけでなく、比較的大型のシャンプーボトルなどの浴室用品も収納することができる。また、左右寸法の大きい右方の収納部１３には、後述するように風呂蓋を収納できる。フロントパネル９の上下寸法は約２００ｍｍ、左右寸法は約１６００ｍｍである。また、配水管ユニット１０の上下寸法は約１３０ｍｍである。
【００３２】
浴室には吐水装置として、置台４の上面に臨む下向きの吐水口１７と、柔軟性のホースにシャワーヘッドを連結してなるハンドシャワー１８と、天井部に固定されたレインシャワー１９とが設置されており、配水管ユニット１０から各吐水装置１７〜１９に対して、水温が調整された温調水が供給される。配水管ユニット１０とレインシャワー１９は、後側の壁パネル３Ｂの裏面に沿って上下に伸びる送水管２０（図４参照）で接続されている。
【００３３】
図４および図５において配水管ユニット１０は、後側の壁パネル３Ｂから突出する給湯管（給水管）２１と給水管２２に止水栓２５・２６を介して連結されて、両管２１・２２から湯と水の供給を受ける。各止水栓２５・２６には水抜き機能が付属しており、止水用の操作部２５ａ・２６ａと水抜き用の操作部２５ｂ・２６ｂがそれぞれ設けられている。配水管ユニット１０は、同ユニット１０の左右中央に配置される混合弁２８と、混合弁２８の左右両側に配置される一対の切替弁２９・３０と、各弁２８〜３０に連結された複数の配水管３１〜３７と、これらを支持する支持枠３８などで構成される。配水管群は、混合弁２８に対して左右対称に配置される２本の上流配水管３１・３２および中流配水管３３・３４と、３本の下流配水管３５〜３７とで構成される。
【００３４】
２本の上流配水管３１・３２は４個所で折り曲げられており、一方の上流配水管３１が給湯管２１側の止水栓２５と混合弁２８を、継手ナットを介して接続し、他方の上流配水管３２が給水管２２側の止水栓２６と混合弁２８を接続する。２本の中流配水管３３・３４はそれぞれ直管からなり、一方の中流配水管３３が混合弁２８と左側の切替弁２９を接続し、他方の中流配水管３４が混合弁２８と右側の切替弁３０を接続する。第１の下流配水管３５は３個所で折り曲げられており、左側の切替弁２９を吐水口１７に接続する。第２の下流配水管３６は、下流端に継手３９が連結されたＬ字管からなり、左側の切替弁２９をハンドシャワー１８にシャワーエルボ４０を介して接続する。第３の下流配水管３７は柔軟性を有するブレードホースからなり、右側の切替弁３０を送水管２０に回転エルボ４２と継手４１を介して接続する。
【００３５】
図６に示すように支持枠３８は、前壁４３と下壁４４を一体に備えた断面Ｌ字状の枠体からなる。支持枠３８の前壁４３に混合弁２８と切替弁２９・３０を固定し、各弁２８〜３０に各配水管３１〜３７を連結することにより、各弁２８〜３０と各配水管３１〜３７と支持枠３８が一体化された配水管ユニット１０が形成されている。さらに、この配水管ユニット１０においては、第１の下流配水管３５に連結された吐水口１７が下壁４４で支持され、第２の下流配水管３６の継手３９が前壁４３で支持されている。下壁４４の左右端部には、止水栓２５・２６の下面に臨むＵ字状の点検口４５がそれぞれ形成されている。各弁２８〜３０の前端には操作部２８ａ〜３０ａが設けられて、前壁４３およびフロントパネル９に形成された通口を介して前方へ突出しており、これら操作部２８ａ〜３０ａに回動式の操作ハンドル４６〜４８がそれぞれ連結されている。
【００３６】
混合弁２８では、給湯管２１から止水栓２５と上流配水管３１を介して供給される湯と、給水管２２から止水栓２６と上流配水管３２を介して供給される水とが混合されて、水温が調整された温調水が生成される。混合弁２８に連結された中央の操作ハンドル４６を回動操作すると、湯と水の混合比率を変更して温調水の温度を調整することができる。左側の切替弁２９を操作ハンドル４７で切替操作すると、混合弁２８で生成された温調水を中流配水管３３から切替弁２９へ送り、さらに下流配水管３５・３６を介して吐水口１７あるいはハンドシャワー１８へ供給することができる。具体的には、操作ハンドル４７を反時計回りに大きく回動させるほど、吐水口１７へ多量の温調水を供給し、同ハンドル４７を時計回りに大きく回動させるほど、ハンドシャワー１８へ多量の温調水を供給することができる。また、右側の切替弁３０を操作ハンドル４８で切替操作すると、混合弁２８で生成された温調水を中流配水管３４から切替弁３０へ送り、さらに下流配水管３７と送水管２０を介してレインシャワー１９へ供給することができる。操作ハンドル４８を大きく回動させるほど、レインシャワー１９へ多量の温調水を供給することができる。
【００３７】
左右一対の止水栓２５・２６の左右方向外側には、配水管ユニット１０を支持する左右一対のブラケット５１が配置されて、後側の壁パネル３Ｂに固定されている。図５および図７においてブラケット５１は、配水管ユニット１０および止水栓２５・２６の側面に臨む矩形板状の側壁５２と、側壁５２の後端に連続する固定壁５３と、側壁５２の上下端に連続する蓋支持壁５４およびユニット支持壁５５とを備える。配水管ユニット１０の支持枠３８の下壁４４が、左右のユニット支持壁５５上に橋絡状に載置されることにより、配水管ユニット１０がブラケット５１で支持される。
【００３８】
蓋支持壁５４は、配水管ユニット１０の上面を覆う中蓋５８を着脱自在に支持する。中蓋５８を取り外すと、配水管ユニット１０のメンテナンスをその上方から行うことができる。固定壁５３は２本のビスで壁パネル３Ｂに締結固定される。側壁５２の下部には、止水栓２５・２６の外側面に臨む台形状の点検口５９が形成されている。本実施例では、止水栓２５・２６の水抜き用の操作部２５ｂ・２６ｂを外側面に配置し、当該点検口５９を介して水抜き操作を行えるようにした。また、給湯管２１側の止水栓２５の止水用の操作部２５ａは下向きに配置されており、下方の点検口４５を介して同操作部２５ａを操作することができる。一方、給水管２２側の止水栓２６の止水用の操作部２６ａは上向きに配置されており、中蓋５８を取り外して配水管ユニット１０の上方から同操作部２６ａを操作することができる。左右の止水栓２５・２６は、止水用の操作部２５ａ・２６ａと水抜き用の操作部２５ｂ・２６ｂが前後軸のまわりに位相を９０度ずらして配置された同一形状の部材からなる。なお、各止水栓２５・２６の操作部２５ａ・２５ｂ・２６ａ・２６ｂの向きは任意に設定することができる。下方の点検口４５は、支持枠３８の内側に水滴や湿気が滞留するのを防止するための通水口ないし通気口としても機能する。
【００３９】
またブラケット５１は、左右の壁パネル３Ｌ・３Ｒにそれぞれ固定される端部ブラケット６３（図１参照）と協同してフロントパネル９を支持する。図８において端部ブラケット６３は、壁パネル３Ｌ・３Ｒに２本のビスで締結固定される固定壁６４と、固定壁６４の上端部に設けられた上向きの被係止片６５と、固定壁６４の下端部に設けられた締結座６６とを一体に備える。また図７に示すように、ブラケット５１の蓋支持壁５４の前端には上向きの被係止片６７が設けられ、ユニット支持壁５５の前端には締結座６８が下向きに設けられている。図９ないし図１１においてフロントパネル９の後面（内面）には、各ブラケット５１・６３の被係止片６７・６５に係止される下向きの係止爪６９と、各ブラケット５１・６３の締結座６８・６６にビスで締結固定される締結壁７０とが形成されている。フロントパネル９の左右端部を端部ブラケット６３にそれぞれ固定し、さらにフロントパネル９の左右中途部を左右一対のブラケット５１に固定すると、左右に長いフロントパネル９を強固に固定支持して、その構造強度を向上することができる。
【００４０】
図１および図９において中蓋５８は、底壁の後端から立ち上がる後壁を備えるトレー状に形成されており、底壁の左右端部がブラケット５１の蓋支持壁５４でそれぞれ支持されるとともに、後壁の上端から後向きに形成された掛止片７３が、後側の壁パネル３Ｂに固定された左右に長い突条７４で支持される。突条７４は壁パネル３Ｂの左右方向の全長にわたって設けられて、複数個のビスで壁パネル３Ｂに固定されている。フロントパネル９と中蓋５８で囲まれて上向きに開口する空間が、比較的小型の浴室用品を収納可能な小収納部１１を構成する。中蓋５８の深さ寸法（後壁の上下寸法）は約３９ｍｍである。
【００４１】
図１において左方の収納部１２は、後側と左側の壁パネル３Ｂ・３Ｌと、フロントパネル９と、左側のブラケット５１の側壁５２とで四方を囲まれて、上下面が開口する空間で構成される。また右方の収納部１３は、後側と右側の壁パネル３Ｂ・３Ｒと、フロントパネル９と、右側のブラケット５１の側壁５２とで四方を囲まれて、上下面が開口する空間で構成される。右方の収納部１３は、配水管ユニット１０や左方の収納部１２よりも十分に大きい左右寸法を有しており、３枚の壁パネル３Ｂ・３Ｌ・３Ｒとフロントパネル９で四方を囲まれる浴室カウンター８の内部空間の過半部を占めている。
【００４２】
左方の収納部１２には、図１２に示すボトルホルダー（ホルダー）７７が、上面開口を介して着脱自在に装着されている。ボトルホルダー７７は、収納部１２にすっぽりと収まる前後寸法および左右寸法を有し、中蓋５８よりも深いトレー状に形成されており、シャンプーボトルなどを収容するのに好適である。ボトルホルダー７７の底壁には複数個の水切り用の通水口７８が形成されており、ボトルホルダー７７の前後には、前向きの掛止片７９と後向きの掛止片８０がそれぞれ形成されている。ボトルホルダー７７を収納部１２に挿入すると、後側の掛止片８０が先述の突条７４で支持され、前側の掛止片７９が、フロントパネル９の後面の下部に設けられた受座８１（図１０参照）で支持される。この受座８１の後端に連続して、先述の締結壁７０が下向きに形成されている。ボトルホルダー７７の右壁は、同ホルダー７７が収納部１２に装着された状態において、左側のブラケット５１の点検口５９を塞ぐ閉塞壁８２を構成する。左側の止水栓２５を操作する際は、ボトルホルダー７７をそれに収納された浴室用品と共に収納部１２から取り除いて、点検口５９を開放することができる。
【００４３】
右方の収納部１３には、図１３に示すチューブホルダー（ホルダー）８３が着脱自在かつ左右スライド自在に装着されている。チューブホルダー８３は、ボトルホルダー７７に比べて底壁の左右寸法が小さく設定されており、比較的細長い洗顔料のチューブなどを起立状態で収容するのに好適である。チューブホルダー８３の左壁は、同ホルダー８３が収納部１３の左端に装着された状態（図２および図３参照）において、右側のブラケット５１の点検口５９を塞ぐ閉塞壁８２を構成する。右側の止水栓２６を操作する際は、チューブホルダー８３を取り除くか右方へスライド移動させて、点検口５９を開放することができる。チューブホルダー８３のその他の構成はボトルホルダー７７とほぼ同一であるため、同じ部材には同じ符号を付して説明を省略する。
【００４４】
図１において浴室カウンター８の上端には、左右一対の上蓋８５Ｌ・８５Ｒが着脱自在に装着される。左側の上蓋８５Ｌが浴室カウンター８の上面開口の左半分を塞ぎ、右側の上蓋８５Ｒがその右半分を塞ぐ。より詳しくは、左側の上蓋８５Ｌが、上方および左方の収納部１１・１２の全体と、右方の収納部１３の左端部（チューブホルダー８３が装着される部分）の上面開口を塞ぎ、右側の上蓋８５Ｒが右方の収納部１３のその余の部分の上面開口を塞ぐ。左側の上蓋８５Ｌは、ホルダー７７・８３や中蓋５８上に収納された浴室用品の透視を可能とする透明材で形成されている。図９ないし図１１に示すように、各上蓋８５Ｌ・８５Ｒの後端部は、突条７４で直接あるいは中蓋５８やホルダー７７・８３の掛止片７３・８０を介して支持され、各上蓋８５Ｌ・８５Ｒの前端部は、フロントパネル９の上端から後方（内方）へ下り傾斜する支持腕８６で支持される。この支持腕８６と、先述の係止爪６９、締結壁７０および受座８１は、フロントパネル９の左右方向の全長にわたって形成されている。
【００４５】
図３に示すように、右方の収納部１３における右側の上蓋８５Ｒで塞がれる部分は、浴槽フランジ５で支持される不図示の風呂蓋よりも大きい左右寸法を有する。従って、浴槽２に入る際は、右側の上蓋８５Ｒを取り外し、風呂蓋を右方の収納部１３に上方から挿入すれば、風呂蓋の下端が浴槽フランジ５の後端部で支持される状態で、風呂蓋を立て掛けておくことができる。取り外した上蓋８５Ｒは、浴槽２を左右に跨ぐように浴槽フランジ５上に載せることにより、浴槽２内で使用する浴室用品の載置台として使用することができる。右方の収納部１３に臨むフロントパネル９の右半部は、タオル掛けとして使用することもできる。
【００４６】
配水管ユニット１０は、各弁２８〜３０と各配水管３１〜３７と支持枠３８が予め一体化された状態で出荷される。さらに本実施例では、吐水口１７を支持枠３８の下壁４４に固定して第１の下流配水管３５に連結し、加えて支持枠３８をフロントパネル９に固定した状態で出荷するものとした。フロントパネル９と支持枠３８の固定手段としては、係合固定や締結固定など任意の方法を採ることができる。図６および図１４に示すように、支持枠３８の前壁４３から前方へ突出する各弁２８〜３０および継手３９の前端部は、フロントパネル９に形成された通口に後面側からそれぞれ挿通されており、各弁２８〜３０の操作部２８ａ〜３０ａには操作ハンドル４６〜４８がそれぞれ連結され、また継手３９にはシャワーエルボ４０が連結される。これら操作ハンドル４６〜４８およびシャワーエルボ４０も、出荷段階で配水管ユニット１０に連結される。
【００４７】
フロントパネル９および配水管ユニット１０の出荷先である施工現場においては、まず図１５に示すように、後側の壁パネル３Ｂから突出する給湯管２１と給水管２２のそれぞれに止水栓２５・２６を連結するとともに、突条７４と各ブラケット５１・６３を壁パネル３Ｂ・３Ｌ・３Ｒにビスで固定する。次に図１６に示すように、フロントパネル９に固定された配水管ユニット１０を、一対のブラケット５１の間に挿入してユニット支持壁５５上に橋絡状に載置するとともに、フロントパネル９を各ブラケット５１・６３に固定する。具体的には、各ブラケット５１・６３の被係止片６７・６５にフロントパネル９の係止爪６９を係止した状態で、各ブラケット５１・６３の締結座６８・６６に後面側から挿通したビスで、当該締結座６８・６６とフロントパネル９の締結壁７０とを締結固定する（図９ないし図１１参照）。
【００４８】
フロントパネル９を固定した後は、配水管ユニット１０の上流配水管３１・３２および第３の下流配水管３７の連結作業を行う。具体的には、各上流配水管３１・３２を止水栓２５・２６に連結し、第３の下流配水管３７を回転エルボ４２に連結する。最後に図１に示すように、中蓋５８、各ホルダー７７・８３、および上蓋８５Ｌ・８５Ｒを着脱自在に装着する。なお、上記の取付手順は一例に過ぎず、例えば出荷段階ではフロントパネル９と配水管ユニット１０を分離しておき、施工現場で配水管ユニット１０を一対のブラケット５１に支持させ、各配水管３１・３２・３７の連結作業を行ってから、フロントパネル９を配水管ユニット１０やブラケット５１・６３に固定してもよい。
【００４９】
上面が開口する本実施例の収納部１２・１３によれば、収納部１２・１３の上下寸法の範囲内に収まる比較的小型の浴室用品を収納できるのはもちろん、収納部１２・１３の上下寸法を超える比較的大型の浴室用品であっても、収納部１２・１３から上方へ突出する状態で収納することができる。しかも、収納部１２・１３に収納した浴室用品の転落をフロントパネル９で規制することができる。さらに本実施例では、配水管ユニット１０の上面を中蓋５８で覆い、その上面側にも小収納部１１を形成したので、中蓋５８の上方空間を無駄なく利用することができ、しかも、左右の収納部１２・１３を合わせた浴室カウンター８の総収納量を大きくして、より多くの浴室用品を収納することができる。
【００５０】
左右の収納部１２・１３にはホルダー７７・８３以外に、物掛け用のフックなどを装着することができる。これら収納部１２・１３には底壁を設けてもよく、この場合はホルダー７７・８３などを装着しなくても、シャンプーボトルなどの浴室用品を底壁で支持して収納することができる。浴室カウンター８の上端の上蓋８５Ｌ・８５Ｒは、浴室カウンター８の左右方向の全長にわたる１個の板体で構成してもよく、左右方向に３個以上に分割された板体で構成してもよい。
【００５１】
（参考例）  図１７および図１８は、浴室カウンターの参考例を示す。この浴室カウンター８は、水平姿勢で壁パネル３Ｂ・３Ｌ・３Ｒに固定される上下一対の上パネル９０および下パネル９１を備えており、これら上下パネル９０・９１の間に配水管ユニット１０が収容されるとともに、同ユニット１０の左右両側に前面が開口する収納部１２・１３が形成されている。配水管ユニット１０に連結される各操作ハンドル４６〜４８は、上パネル９０の上面側に配置されている。
【００５２】
左右一対の収納部１２・１３の前面開口は、下パネル９１の前端にヒンジ９２で連結されたフロントパネル９で開閉される。フロントパネル９は、両収納部１２・１３の前面開口を閉塞する起立姿勢と、これら前面開口を開放する水平姿勢との間で、ヒンジ９２のまわりに揺動自在である。フロントパネル９の起立姿勢においては、フロントパネル９の上端に設けられた鉄板９３が、上パネル９０の前端に設けられたマグネットキャッチ９４に吸着して、フロントパネル９が起立姿勢に保持される。フロントパネル９の水平姿勢においては、図１８に示すように、フロントパネル９の後端上面が下パネル９１の前端下面に当接して、フロントパネル９に作用する回転モーメントが下パネル９１によって受け止められており、フロントパネル９の内面を浴室用品の載置台として使用可能になっている。配水管ユニット１０の前面と左右側面は、メンテナンス時に取り外し可能な化粧カバーなどで覆うことができる。
【００５３】
以上のように、参考例に係る浴室カウンター８では、浴室の後側の壁パネル３Ｂと、壁パネル３Ｂの左右方向の全長にわたるフロントパネル９との間に配水管ユニット１０を収容し、両パネル３Ｂ・９の間における配水管ユニット１０の左右両側に収納部１２・１３を形成した。つまり、１枚のフロントパネル９が、配水管ユニット１０の収容部の前面の区画壁と、浴室用品等の収納部１２・１３の前面の区画壁とを兼ねるものとした。従って、これら区画壁をそれぞれ別の部材で構成する場合に比べて、浴室カウンター８の部品点数を減らして、その取付作業の手間を削減することができる。
【００５４】
各収納部１１〜１３には、入浴時に使用する石鹸などの他に、浴室の清掃用具などを収納してもよい。
【符号の説明】
【００５５】
３Ｂ  壁パネル
８  浴室カウンター
９  フロントパネル
１０  配水管ユニット
１１  小収納部
１２  収納部
１３  収納部
１７  吐水装置（吐水口）
１８  吐水装置（ハンドシャワー）
１９  吐水装置（レインシャワー）
２１  給水管（給湯管）
２２  給水管
２５  止水栓
２６  止水栓
３８  支持枠
５１  ブラケット
５２  側壁
５４  蓋支持壁
５５  ユニット支持壁
５８  中蓋
５９  点検口
６３  端部ブラケット
７７  ホルダー（ボトルホルダー）
８２  閉塞壁
８３  ホルダー（チューブホルダー）
８５Ｌ・８５Ｒ  上蓋
【図１】
0006744742.tif 000002
【図２】
0006744742.tif 000003
【図３】
0006744742.tif 000004
【図４】
0006744742.tif 000005
【図５】
0006744742.tif 000006
【図６】
0006744742.tif 000007
【図７】
0006744742.tif 000008
【図８】
0006744742.tif 000009
【図９】
0006744742.tif 000010
【図１０】
0006744742.tif 000011
【図１１】
0006744742.tif 000012
【図１２】
0006744742.tif 000013
【図１３】
0006744742.tif 000014
【図１４】
0006744742.tif 000015
【図１５】
0006744742.tif 000016
【図１６】
0006744742.tif 000017
【図１７】
0006744742.tif 000018
【図１８】
0006744742.tif 000019